(57)【要約】【課題】  ＯＬＥＤ素子が発光されないまま長時間が経過した後であっても、このＯＬＥＤ素子を本来の輝度で発光させることを目的とする。【解決手段】  最初に全てのＯＬＥＤ素子をいったん最高輝度で発光させる処理を実行し（ステップＳ１）、その処理が完了したことを確認してから（ステップＳ２）、画像表示や照明などの本来の目的に沿った通常の使用状態（以下、実使用状態という）に遷移させる（ステップＳ３）、というものである。このようにすれば、実使用状態において、全てのＯＬＥＤ素子は本来の電圧−電流特性に沿って発光することになるので、表示ムラや発光輝度のムラなどの問題が生じることはない。【選択図】      図１
2005195875.tif 000002
【特許請求の範囲】
【請求項１】
電流が供給されることによって発光するＯＬＥＤ（Organic Light-Emitting Diode）素
子を有する発光素子回路と、
指定された大きさの電流を前記発光素子回路に供給するか又は前記指定された大きさの
電流を前記ＯＬＥＤ素子に供給するための電圧を前記発光素子回路に印加することによっ
て、前記ＯＬＥＤ素子をある輝度で発光させる発光制御手段と、
前記発光制御手段による発光動作が開始される前に、前記ＯＬＥＤ素子がほぼ最高輝度
で発光するような最大発光電流を前記発光素子回路に供給するか又は前記最大発光電流を
前記ＯＬＥＤ素子に供給するための電圧を前記発光素子回路に印加する初期化手段と
を備えたことを特徴とする電気光学装置。
【請求項２】
電流が供給されることによって発光するＯＬＥＤ素子をそれぞれ有し、複数の走査線及
び複数のデータ線に接続されてマトリクス状に配置された複数の画素回路と、
複数の走査線の各々を順次に選択して走査信号を供給する走査線駆動回路と、
複数のデータ線の各々に対し、該データ線に接続された各々の画素回路が発光する際の
発光階調レベルを表すデータ信号を供給するデータ線駆動回路と、
前記走査線駆動回路及び前記データ線駆動回路を用いて、画像データが表す画像を前記
複数の画素回路によって表示させる制御部とを備え、
前記制御部は、前記走査線駆動回路及び前記データ線駆動回路によって前記画像を表示
させる処理を開始する前に、当該走査線駆動回路及びデータ線駆動回路を用いて、前記Ｏ
ＬＥＤ素子がほぼ最高輝度で発光するような最大発光電流を前記画素回路に供給するか又
は前記最大発光電流を前記ＯＬＥＤ素子に供給するための最大発光電圧を前記画素回路に
印加する初期化手段を有することを特徴とする電気光学装置。
【請求項３】
前記初期化手段は、前記最大発光電流ないし最大発光電圧を用いて、各々の前記ＯＬＥ
Ｄ素子を比較的短い時間だけほぼ最高輝度で発光させることを特徴とする請求項２に記載
の電気光学装置。
【請求項４】
前記初期化手段は、前記最大発光電流ないし最大発光電圧を用いて、各々の前記ＯＬＥ
Ｄ素子を１水平走査期間だけほぼ最高輝度で発光させることを特徴とする請求項３に記載
の電気光学装置。
【請求項５】
前記初期化手段は、前記最大発光電流ないし最大発光電圧を用いて、前記ＯＬＥＤ素子
を連続する２つの水平走査期間に跨った時間だけほぼ最高輝度で発光させることを特徴と
する請求項３に記載の電気光学装置。
【請求項６】
前記画素回路の各々における発光期間を指定する発光期間制御手段を備え、
前記初期化手段は、前記発光期間制御手段を用いて各々の前記ＯＬＥＤ素子を指定され
た期間だけほぼ最高輝度で発光させることを特徴とする請求項２に記載の電気光学装置。
【請求項７】
電流が供給されることによって発光する複数のＯＬＥＤ素子を有する発光パネルと、
前記発光パネルの発光量を指定する発光量指定手段と、
電源が投入されると、前記ＯＬＥＤ素子がほぼ最高輝度で発光するような最大発光電流
を前記発光パネルに供給するか又は前記最大発光電流を前記ＯＬＥＤ素子に供給するため
の最大発光電圧を前記発光パネルに印加する初期化手段と、
前記初期化手段によって前記ＯＬＥＤ素子がほぼ最高輝度で発光させられた後に、前記
発行量指定手段によって指定された輝度で発光するような電流を前記発光パネルに供給す
るか又は当該電流を前記ＯＬＥＤ素子に供給するための電圧を前記発光パネルに印加する
発光量制御手段と
を備えたことを特徴とする電気光学装置。
【請求項８】
前記初期化手段は、パルス波形の最大発光電圧を用いて前記前記ＯＬＥＤ素子をほぼ最
高輝度で発光させることを特徴とする請求項７に記載の電気光学装置。
【請求項９】
請求項１乃至８のいずれか１項に記載の電気光学装置を具備することを特徴とする電子
機器。
【請求項１０】
電流が供給されることによって発光するＯＬＥＤ素子を有する発光素子回路に対し、前
記ＯＬＥＤ素子がほぼ最高輝度で発光するような最大発光電流を前記発光素子回路に供給
するか又は前記最大発光電流を前記ＯＬＥＤ素子に供給するための電圧を前記発光素子回
路に印加する第１のステップと、
前記第１のステップにおいて前記ＯＬＥＤ素子がほぼ最高輝度で発光させられた後に、
指定された大きさの電流を前記発光素子回路に供給するか又は前記指定された大きさの電
流を前記ＯＬＥＤ素子に供給するような電圧を前記発光素子回路に印加することによって
、前記ＯＬＥＤ素子をある輝度で発光させる第２のステップと
を備えたことを特徴とする電気光学装置の駆動方法。
【請求項１１】
電流が供給されることによって発光するＯＬＥＤ素子を有した画素回路がマトリクス状
に配置された電気光学装置の駆動方法であって、
前記ＯＬＥＤ素子がほぼ最高輝度で発光するような最大発光電流を前記画素回路に供給
した後に当該最大発光電流の供給を停止するか、又は、前記最大発光電流を前記ＯＬＥＤ
素子に供給するための電圧を前記画素回路に印加した後に当該電圧の印加を停止する第１
のステップと、
前記第１のステップにおいて前記ＯＬＥＤ素子がほぼ最高輝度で発光させられた後に、
指定された大きさの電流を前記画素回路に供給するか又は前記指定された大きさの電流を
前記ＯＬＥＤ素子に供給するような電圧を前記画素回路に印加することによって、前記Ｏ
ＬＥＤ素子をある輝度で発光させる第２のステップと
を備えたことを特徴とする電気光学装置の駆動方法。
【発明の詳細な説明】
【技術分野】
【０００１】
本発明は、有機エレクトロルミネッセンス素子（以下、「ＯＬＥＤ（Organic Light-Em
itting Diode）素子」という）を効率よく発光させるための技術に関する。
【背景技術】
【０００２】
ＯＬＥＤ素子には、供給された電流の大きさに応じた輝度で自ら発光するという特徴が
あり、この特徴を利用した様々な用途が提案されている。例えばＯＬＥＤ素子を照明装置
に用いたり（特許文献１参照）、液晶のバックライトとして用いたり（特許文献２参照）
、或いは画像の表示装置そのものに用いたり（特許文献３参照）、といった具合である。
このようなＯＬＥＤ素子に対する用途の開発や需要の拡大は今後よりいっそう進展するこ
とが予想される。
【０００３】
ところで、ＯＬＥＤ素子に対する研究・開発が進むにつれて、その素子固有の特性が明
らかになってきている。例えば、ＯＬＥＤ素子は発光しない状態のままで長時間が経過す
ると、その素子の陰極・陽極間の電圧と素子を流れる電流との関係（電圧−電流特性）が
変化することがわかっている。ここで、図１５は、ＯＬＥＤ素子の電圧−電流特性が変化
する様子を模式的に示したグラフである。図１５中の特性曲線Ｃ１は、ＯＬＥＤ素子が非
発光のまま長時間経過した後に陰極・陽極間の電圧を徐々に大きくしていき、最終的に点
Ｐにおいて最高輝度でＯＬＥＤ素子を発光させたときの電圧−電流特性を示している。一
方、特性曲線Ｃ２は、特性曲線Ｃ１に示すような電圧−電流によってＯＬＥＤ素子を最高
輝度で発光させた後の当該ＯＬＥＤ素子における電圧−電流特性を示している。即ち、Ｏ
ＬＥＤ素子は特性曲線Ｃ１に示される電圧−電流特性に従っていったん最高輝度まで発光
すると、その後は、電圧−電流がどのように変化しようとも、特性曲線Ｃ２に示されるよ
うな電圧−電流特性に従って発光するようになっている。
【０００４】
特性曲線Ｃ１と特性曲線Ｃ２における一定の電圧値Ｖtに対する電流値を比較すると、
特性曲線Ｃ１における電流値Ｉt1＜特性曲線Ｃ２における電流値Ｉt2であるから、ＯＬＥ
Ｄ素子は非発光状態のまま長時間が経過した後にはじめて発光する場合には、本来流れる
べき値よりも小さい値の電流しか流れないことがわかる。ＯＬＥＤ素子を例えば表示装置
に用いた場合には、マトリクス状に配置されたＯＬＥＤ素子のうちで表示すべき画像に応
じたＯＬＥＤ素子が発光させられるが、図１５に示す特性曲線Ｃ１と特性曲線Ｃ２のよう
に各々のＯＬＥＤ素子の電圧−電流特性が異なると、表示ムラが発生して表示品質が低下
してしまう。また、ＯＬＥＤ素子を照明装置に用いた場合にも、本来は一様に発光すべき
照明パネルに発光輝度のムラが発生してしまうことになる。
【０００５】
【特許文献１】特開平１１−０９７８１３号公報
【特許文献２】特開２００２−００６７６５号公報
【特許文献３】特開２００３−３３８３８６号公報
【発明の開示】
【発明が解決しようとする課題】
【０００６】
本発明はこれらの事情に鑑みてなされたものであり、ＯＬＥＤ素子が発光されないまま
長時間が経過した後であっても、このＯＬＥＤ素子を本来の輝度で発光させることを目的
とする。
【課題を解決するための手段】
【０００７】
この課題を解決するため、本発明は、電流が供給されることによって発光するＯＬＥＤ（
Organic Light-Emitting Diode）素子を有する発光素子回路と、指定された大きさの電流
を前記発光素子回路に供給するか又は前記指定された大きさの電流を前記ＯＬＥＤ素子に
供給するための電圧を前記発光素子回路に印加することによって、前記ＯＬＥＤ素子をあ
る輝度で発光させる発光制御手段と、前記発光制御手段による発光動作が開始される前に
、前記ＯＬＥＤ素子がほぼ最高輝度で発光するような最大発光電流を前記発光素子回路に
供給するか又は前記最大発光電流を前記ＯＬＥＤ素子に供給するための電圧を前記発光素
子回路に印加する初期化手段とを備えたことを特徴とする電気光学装置を提供する。この
電気光学装置によれば、いったん最高輝度で発光させた後に実使用状態に遷移することに
なるので、全てのＯＬＥＤ素子は本来の電圧−電流特性に沿って発光することになる。
【０００８】
また、本発明は、電流が供給されることによって発光するＯＬＥＤ素子をそれぞれ有し
、複数の走査線及び複数のデータ線に接続されてマトリクス状に配置された複数の画素回
路と、複数の走査線の各々を順次に選択して走査信号を供給する走査線駆動回路と、複数
のデータ線の各々に対し、該データ線に接続された各々の画素回路が発光する際の発光階
調レベルを表すデータ信号を供給するデータ線駆動回路と、前記走査線駆動回路及び前記
データ線駆動回路を用いて、画像データが表す画像を前記複数の画素回路によって表示さ
せる制御部とを備え、前記制御部は、前記走査線駆動回路及び前記データ線駆動回路によ
って前記画像を表示させる処理を開始する前に、当該走査線駆動回路及びデータ線駆動回
路を用いて、前記ＯＬＥＤ素子がほぼ最高輝度で発光するような最大発光電流を前記画素
回路に供給するか又は前記最大発光電流を前記ＯＬＥＤ素子に供給するための最大発光電
圧を前記画素回路に印加する初期化手段を有することを特徴とする電気光学装置を提供す
る。この電気光学装置によれば、画像表示処理の開始時に全てのＯＬＥＤ素子をいったん
最高輝度で発光させるという初期化処理を経た後に実使用状態に遷移するので、実使用状
態においてはより小さい電圧でＯＬＥＤ素子を発光させることができ、消費電力を低減可
能になるとともに、本来の電圧−電流特性に沿って正確な階調で画像を表現することがで
きる。
【０００９】
本発明の好ましい態様においては、前記初期化手段は、前記最大発光電流ないし最大発
光電圧を用いて、各々の前記ＯＬＥＤ素子を比較的短い時間だけほぼ最高輝度で発光させ
る。各画素回路における最高輝度での発光期間は短い期間であるので、ユーザに不快感を
与えずに済む。
【００１０】
例えば、前記初期化手段は、前記最大発光電流ないし最大発光電圧を用いて、各々の前
記ＯＬＥＤ素子を１水平走査期間だけほぼ最高輝度で発光させるようにしてもよい。また
、例えば前記初期化手段は、前記最大発光電流ないし最大発光電圧を用いて、前記ＯＬＥ
Ｄ素子を連続する２つの水平走査期間に跨った時間だけほぼ最高輝度で発光させるように
してもよい。
【００１１】
また、本発明の好ましい態様においては、前記画素回路の各々における発光期間を指定
する発光期間制御手段を備え、前記初期化手段は、前記発光期間制御手段を用いて、各々
の前記ＯＬＥＤ素子を指定された期間だけほぼ最高輝度で発光させる。
【００１２】
また、本発明は、電流が供給されることによって発光する複数のＯＬＥＤ素子を有する
発光パネルと、前記発光パネルの発光量を指定する発光量指定手段と、電源が投入される
と、前記ＯＬＥＤ素子がほぼ最高輝度で発光するような最大発光電流を前記発光パネルに
供給するか又は前記最大発光電流を前記ＯＬＥＤ素子に供給するための最大発光電圧を前
記発光パネルに印加する初期化手段と、前記初期化手段によって前記ＯＬＥＤ素子がほぼ
最高輝度で発光させられた後に、前記発行量指定手段によって指定された輝度で発光する
ような電流を前記発光パネルに供給するか又は当該電流を前記ＯＬＥＤ素子に供給するた
めの電圧を前記発光パネルに印加する発光量制御手段とを提供する。この電気光学装置に
よれば、実使用状態において、全てのＯＬＥＤ素子は本来の電圧−電流特性に沿って発光
することになるので発光効率が良い。
【００１３】
前記初期化手段は、パルス波形の最大発光電圧を用いて前記前記ＯＬＥＤ素子をほぼ最
高輝度で発光させるようにしてもよい。
【００１４】
なお、電子機器一般は上記の電気光学装置を表示装置として備えることができる。
【００１５】
また、本発明は、電流が供給されることによって発光するＯＬＥＤ素子を有する発光素
子回路に対し、前記ＯＬＥＤ素子がほぼ最高輝度で発光するような最大発光電流を前記発
光素子回路に供給するか又は前記最大発光電流を前記ＯＬＥＤ素子に供給するための電圧
を前記発光素子回路に印加する第１のステップと、前記第１のステップにおいて前記ＯＬ
ＥＤ素子がほぼ最高輝度で発光させられた後に、指定された大きさの電流を前記発光素子
回路に供給するか又は前記指定された大きさの電流を前記ＯＬＥＤ素子に供給するような
電圧を前記発光素子回路に印加することによって、前記ＯＬＥＤ素子をある輝度で発光さ
せる第２のステップとを備えたことを特徴とする電気光学装置の駆動方法を提供する。
また、本発明は、電流が供給されることによって発光するＯＬＥＤ素子を有した画素回
路がマトリクス状に配置された電気光学装置の駆動方法であって、前記ＯＬＥＤ素子がほ
ぼ最高輝度で発光するような最大発光電流を前記画素回路に供給した後に当該最大発光電
流の供給を停止するか、又は、前記最大発光電流を前記ＯＬＥＤ素子に供給するための電
圧を前記画素回路に印加した後に当該電圧の印加を停止する第１のステップと、前記第１
のステップにおいて前記ＯＬＥＤ素子がほぼ最高輝度で発光させられた後に、指定された
大きさの電流を前記画素回路に供給するか又は前記指定された大きさの電流を前記ＯＬＥ
Ｄ素子に供給するような電圧を前記画素回路に印加することによって、前記ＯＬＥＤ素子
をある輝度で発光させる第２のステップとを備えたことを特徴とする電気光学装置の駆動
方法を提供する。
【発明を実施するための最良の形態】
【００１６】
発明者は、前述の図１５に示したような特性曲線Ｃ１，Ｃ２の違いに基づいて、上記問
題を解決するために次のような仕組みを考案した。即ち、図１のフローチャートに示すよ
うに、まず最初に全てのＯＬＥＤ素子をいったん最高輝度で発光させる処理（以下、初期
化処理という）を実行し（ステップＳ１）、その処理が完了したことを確認してから（ス
テップＳ２）、画像表示や照明などの本来の目的に沿った通常の使用状態（以下、実使用
状態という）に遷移させる（ステップＳ３）、というものである。このようにすれば、実
使用状態において、全てのＯＬＥＤ素子は特性曲線Ｃ２という本来の電圧−電流特性に沿
って発光することになるので、表示ムラや発光輝度のムラなどの問題が生じることはない
。ただし、電気光学装置が備える全てのＯＬＥＤ素子を一斉に最高輝度で発光させてしま
うと相当の明るさになってしまうので、ユーザが驚いたり不快に感じたりすることが懸念
される。そこで、本発明においては、極めて短い時間のみだけ初期化処理を行うなど、ユ
ーザに与える不快感をできるだけ減少させるような工夫を凝らすようにしている。このよ
うな本発明の実施の形態について、以下、具体的に説明する。
【００１７】
（１）第１実施形態
図２は、第１実施形態に係る電気光学装置の構成を示す図である。図２に示されるよう
に、電気光学装置１００は、Ｘ方向（行方向）に延びるｍ本の走査線２０１と、Ｙ方向（
列方向）に延びるｎ本のデータ線３０３とを有する。走査線２０１とデータ線３０３との
各交差には画素回路５が１つずつ設けられている。よって、これらの画素回路５は、Ｘ方
向およびＹ方向にわたってｍ行×ｎ列のマトリクス状に配列されていることになる。これ
ら画素回路５には、電源の高位側電圧Ｖｄｄが印加された電源線４１と、電源の低位側電
圧Ｇｎｄが印加された電源線（図示略）とが接続されている。
【００１８】
さらに電気光学装置１００は、各走査線２０１と並行するようにＸ方向に延びるｍ本の
点灯制御線２０３を有する。各走査線２０１とこれに隣接する点灯制御線２０３との組は
、ひとつの行に属するｎ個の画素回路５を制御するために共用され、いずれも走査線駆動
回路２に接続されている。走査線駆動回路２は、制御部１からの指示に応じて、ｍ本の走
査線２０１の各々に供給される走査信号ＧＷＲＴ１，ＧＷＲＴ２，…，ＧＷＲＴmを水平
走査期間（１Ｈ）ごとに順番にアクティブレベルにしたり、点灯制御信号ＧＥＬ１，ＧＥ
Ｌ２，…，ＧＥＬmを各点灯制御線２０３に供給したりする。
【００１９】
各データ線３０３はデータ線駆動回路３に接続されている。このデータ線駆動回路３は
データ線３０３ごとに設けられたｎ個の定電流回路３０１を有する。各定電流回路３０１
は、各走査線２０１に供給される走査信号ＧＷＲＴ１、ＧＷＲＴ２、…、ＧＷＲＴmがア
クティブレベルとなる期間（以下「データ書込期間」という）において、各画素回路５に
おける発光階調を指定する電流値のデータ信号Ｉdata-1，Ｉdata-2，…，Ｉdata-nをデー
タ線３０３に供給するための回路である。また、各データ線３０３には、データ線３０３
ごとに設けられたｎ個のｎチャネル型のトランジスタ４３１のドレインが接続されている
。これらのトランジスタ４３１の各々は、ソースが電源線４１に共通に接続される一方、
ゲートがプリチャージ制御線４３に共通に接続されている。このプリチャージ制御線４３
にはプリチャージ信号ＰＲＥが供給される。
【００２０】
次に、画素回路５の構成について説明する。
図３は、ｍ行×ｎ列マトリクスのうちｉ行ｊ列（１≦i≦ｍ，１≦j≦n）に配置された
画素回路５の構成を示した図である。図３に示すように、画素回路５は、１つのｐチャネ
ル型トランジスタＴ１と、３つのｎチャネル型トランジスタＴ２〜Ｔ４と、保持キャパシ
タＣ１と、ＯＬＥＤ素子Ｄ１とを備えている。保持キャパシタＣ１は、データ線３０３を
介して供給されたデータ信号Ｉdata-jに応じた電荷を保持するための容量であり、トラン
ジスタＴ２，Ｔ３は、保持キャパシタＣ１に電荷を蓄積する際に使用されるスイッチング
素子である。トランジスタＴ４は、ＯＬＥＤ素子Ｄ１の発光期間においてオン状態に保た
れるスイッチング素子である。トランジスタＴ１は、ＯＬＥＤ素子Ｄ１に供給される電流
の値を制御してその発光階調を調節するための駆動素子である。
【００２１】
トランジスタＴ２のソースは、トランジスタＴ３のドレインと、トランジスタＴ４のド
レインと、トランジスタＴ１のドレインとにそれぞれ接続されており、トランジスタＴ２
のドレインは、トランジスタＴ１のゲートに接続されている。また、トランジスタＴ２，
Ｔ３のゲートはともに、走査線２０１を介して走査線駆動回路２に接続されている。トラ
ンジスタＴ３のソースは、データ線３０３を介して定電流回路３０１に接続されている。
保持キャパシタＣ１は、トランジスタＴ１のゲートと電源線４１との間に接続されている
。トランジスタＴ１のソースは、電源線４１に接続されている。トランジスタＴ４のゲー
トは点灯制御線２０３に接続されており、ＯＬＥＤ素子Ｄ１は、トランジスタＴ４のソー
スと電源の低位側電位Gndとの間に接続されている。
【００２２】
次に、上記構成からなる電気光学装置１００の動作について、図４のフローチャートを
参照しながら説明する。図４において、制御部１は、画像表示処理が開始されるタイミン
グであると判断すると（ステップＳ１１；Ｙｅｓ）、データ線駆動回路３及び走査線駆動
回路２に対し、全ての画素回路５を最高輝度で発光させることを指示する（ステップＳ１
２）。ここで、「画像表示処理が開始されるタイミング」とは、例えば電気光学装置１０
０の電源が投入されたタイミングのほか、電気光学装置１００の電源が投入された後にそ
の電気光学装置１００に画像データが供給されたタイミングであってもよいし、或いは、
画像表示後に省電力モードに遷移して非表示となったまま長時間が経過し、その後、省電
力モードから通常の画像表示モードに復帰して画像表示処理が再開されたようなタイミン
グをも含むものとする。要するに、初期化処理を行わなければならないような場合、即ち
、ＯＬＥＤ素子が発光しないまま長時間が経過してしまい、その結果、そのＯＬＥＤ素子
を発光させると図１５の特性曲線Ｃ２に示すような電圧−電流特性に従って発光するよう
な場合であるときには、ステップＳ１１における「画像表示処理が開始されるタイミング
」に相当すると考えればよい。
【００２３】
ここで、図５に示したタイミングチャートを参照しながら、画素回路５を最高輝度で発
光させる際の動作について説明する。この図５は、１行目の全ての画素回路５と２行目の
全ての画素回路５に対する駆動動作を示している。図５において、プリチャージ信号ＰＲ
Ｅは各水平走査期間Ｈ１，Ｈ２，Ｈ３，Ｈ４・・・のうちデータ書込期間の直前にＨレベ
ルとなる信号である。このプリチャージ信号ＰＲＥによって総てのデータ線３０３がデー
タ書込期間に先立って一斉に電圧Ｖｄｄにプリチャージされることになる。
【００２４】
水平走査期間Ｈ１においては、走査線駆動回路２が非アクティブレベル（Ｌレベル）の
点灯制御信号ＧＥＬ１を１行目の点灯制御線２０３に供給しており、これにより、画素回
路５のトランジスタＴ４はオフ状態（閉状態）に保たれている。次いで、走査線駆動回路
２はアクティブレベル（Ｈレベル）の走査信号ＧＷＲＴ１を１行目の走査線２０１に供給
し、これにより、画素回路５のトランジスタＴ２，Ｔ３はオン状態（開状態）に保たれる
。この状態が維持されたデータ書込期間に、データ線３０３に接続されたｎ個の定電流回
路３０１は、画素回路５が最高輝度で発光するような電流値のデータ信号Ｉdata-1〜Ｉda
ta-nをこれらのデータ線３０３に次々と供給していく。これらデータ信号Ｉdata-1〜Ｉda
ta-nの電流値を「Ｉmax」とする。
【００２５】
これによって、１行目の画素回路５の保持キャパシタＣ１にはデータ信号Ｉdata-1〜Ｉ
data-nの電流値Ｉmaxに対応した電荷が保持される。この結果、トランジスタＴ１のソー
ス・ゲート間には、保持キャパシタＣ１に保持された電荷に対応した電圧が印加されるこ
とになる。このようにしてデータ書込が終了すると、次の水平走査期間Ｈ２において、走
査線駆動回路２がＬレベルの走査信号ＧＷＲＴ１を１行目の走査線２０１に供給して、１
行目の画素回路５のトランジスタＴ２，Ｔ３をオフ状態とする。また、定電流回路３０１
はデータ信号Ｉdata-1〜Ｉdata-nの供給を停止する。さらに、走査線駆動回路２が点灯制
御信号ＧＥＬ１をＨレベルに設定して１行目の画素回路５のトランジスタＴ４をオン状態
とする。前述したように保持キャパシタＣ１には電流値Ｉmaxに対応した電圧が保持され
ているので、トランジスタＴ４には電流値Ｉmaxとほぼ同じ大きさの電流が流れる。この
結果、１行目の画素回路５のＯＬＥＤ素子Ｄ１にも電流値Ｉmaxとほぼ同じ大きさの電流
が流れ、１行目の画素回路５は最高輝度で発光することになる。この水平走査期間Ｈ２に
おいては、このような点灯制御処理と同時に、２行目の画素回路５に対して１行目と同様
のデータ書き込みが行われる。以降、３行目〜ｍ行目まで上記と同様の処理が繰り返され
、最高輝度での発光処理が全ての画素回路５についてなされることになる。
【００２６】
再び図４に戻り、上記のような最高輝度での発光処理が全ての行の画素回路５について
実行されたことが確認されると（ステップＳ１３；Ｙｅｓ）、制御部１は、通常の画像表
示処理、即ち、各々の画素回路５を画像データに応じた階調で発光させて画像を表示する
（ステップＳ１４）。このときの駆動動作の一例を図６に示す。図６に示すタイミングチ
ャートにおいて前述した図５と異なるのは、各々の各画素回路５に対して階調に応じた電
流値のデータ信号Ｉdataが供給される点である。このようにして画像表示処理が実行され
ていき、最後に電源がオフされるなどして画像表示処理が終了すると（ステップＳ１５；
Ｙｅｓ）、図４に示す処理も終了する。
【００２７】
以上述べた第１実施形態によれば、画像表示処理の開始時に全ての画素回路のＯＬＥＤ
素子をいったん最高輝度で発光させるという初期化処理を経た後に実使用状態に遷移させ
るから、実使用状態においてはより小さい電流でＯＬＥＤ素子を発光させることができ、
消費電力を低減可能になるとともに、特性曲線Ｃ２に沿って正確な階調で画像を表示する
ことができる。また、各画素回路における最高輝度での発光期間は１水平走査期間という
極めて短い期間であるので、ユーザに不快感を与えることもない。
【００２８】
なお、画素回路５は、図３に示したような電流プログラミング方式に限らず、例えば図
７に示すような電圧プログラミング方式の画素回路であってもよい。図７に示す画素回路
５Ａは、ｐチャネル型トランジスタＴ１１と、２つのｎチャネル型トランジスタＴ１２，
Ｔ１３と、保持キャパシタＣ１１と、ＯＬＥＤ素子Ｄ１１とを備えている。保持キャパシ
タＣ１１は、データ線３０３を介して供給されたデータ信号Ｖdata-jの電圧値に応じた電
荷を保持するための容量素子であり、トランジスタＴ１２は、保持キャパシタＣ１１に電
荷を蓄積する際に使用されるスイッチング素子である。トランジスタＴ１３は、ＯＬＥＤ
素子Ｄ１１の発光期間においてオン状態に保たれるスイッチング素子である。トランジス
タＴ１１は、ＯＬＥＤ素子Ｄ１１に供給する電流の値を制御してその発光階調を調節する
ための駆動素子である。トランジスタＴ１２のドレインは、トランジスタＴ１１のゲート
に接続されており、ソースはデータ線３０３を介して定電圧回路３０２に接続されており
、ゲートは走査線２０１を介して走査線駆動回路２に接続されている。保持キャパシタＣ
１１は、トランジスタＴ１１のゲートと電源線４１との間に接続されている。また、トラ
ンジスタＴ１１のソースは、電源線４１に接続されている。ＯＬＥＤ素子Ｄ１１は、トラ
ンジスタＴ１３のソースと電源の低位側電位Ｇｎｄとの間に接続されている。トランジス
タＴ１３のゲートは点灯制御線２０３に接続されている。このような構成の画素回路５Ａ
に対し、制御部１は、初期化時にはＯＬＥＤ素子Ｄ１１が最高輝度で発光するような電流
を供給するための電圧Ｖdataを印加すればよい。
【００２９】
なお、画素回路５を１行ずつ発光させてパネル全面に一様に初期化処理を行うのではな
く、ある種のロゴやマークを表示させながら初期化処理を行うようにしてもよい。例えば
、制御部１は、図８ａ〜図８ｃの平面図に示すように、表示パネル１０１の下方から、枠
で囲った「ＤＩＳＰＬＡＹ」というロゴ１０２を徐々に上方に移動させるようにして表示
する。このロゴ及び枠に相当する画素回路５のＯＬＥＤ素子を最高輝度で発光させるよう
にすると、少なくとも上枠１０２Ａ及び下枠１０２Ｂがパネル全面に渡って下方から上方
に移動するので、結果的に全ての画素回路５が最高輝度で発光することになる。このよう
に表示される情報がロゴなどであれば、ユーザも不快に感じることも少ない。
【００３０】
（２）第２実施形態
第１実施形態では、点灯制御信号によって最高輝度での発光期間を指定していたが、次
に述べる第２実施形態では、このような点灯制御信号を用いずに最高輝度での発光期間を
指定する例である。この第２実施形態が前述した第１実施形態と異なるのは、電気光学装
置が図２に示すような点灯制御線２０３を備えていない点と、図３や図７に示した画素回
路に代えて図９に示すような画素回路５Ｂを備えている点であり、その他の構成・動作は
同一である。
【００３１】
図９に示す画素回路５Ｂは、１つのｐチャネル型トランジスタＴ２１と、１つのｎチャ
ネル型トランジスタＴ２２と、保持キャパシタＣ２１と、ＯＬＥＤ素子Ｄ２１とを備えて
いる。保持キャパシタＣ２１は、データ線を介して供給されたデータ信号jVdata-jに応じ
た電荷を保持するための容量素子であり、トランジスタＴ２２は、保持キャパシタＣ１に
電荷を蓄積する際に使用されるスイッチング素子である。トランジスタＴ２１は、ＯＬＥ
Ｄ素子Ｄ２１に供給する電流の値を制御してその発光階調を調節するための駆動素子であ
る。トランジスタＴ２２のソースはデータ線を介して定電圧回路３０２に接続されており
、ドレインはトランジスタＴ２１のゲート及び保持キャパシタＣ２１に接続されており、
ゲートは走査線を介して走査線駆動回路に接続されている。トランジスタＴ２１のソース
は電源線に接続されており、トランジスタＴ２１のドレインと電源の低位側電位Gndとの
間にはＯＬＥＤ素子Ｄ２１が接続されている。
【００３２】
このような構成の画素回路５Ｂを備える電気光学装置は、前述した図４に示したフロー
に従って処理を行う。特に図４のステップＳ１２においては、次のようにして最高輝度で
の発光処理を行う。図１０は、１行目の画素回路５Ｂと２行目の画素回路５Ｂの駆動動作
を示すタイミングチャートである。図１０に示す水平走査期間Ｈ１において、走査線駆動
回路はＨレベルの走査信号ＧＷＲＴ１を走査線を介して１行目の画素回路５Ｂに供給し、
画素回路５ＢのトランジスタＴ２２をオン状態（開状態）に保つ。この状態（データ書き
込み期間）において、データ線に接続されたデータ線駆動回路の定電圧回路３０２が、画
素回路５Ｂを最高輝度で発光させるようなデータ信号Vdata（これをＶmaxとする）をデー
タ線を介して画素回路５Ｂに供給し、データ書き込み期間の終了と共にデータ信号の供給
を停止する。
【００３３】
これによって、画素回路５Ｂの保持キャパシタＣ２１には最高輝度で発光させるような
電流値Ｉmaxに対応した電荷が保持され、これによって、トランジスタＴ２１には電流値
Ｉmaxの電流が流れてＯＬＥＤ素子Ｄ２１は最高輝度で発光する。そして、続く水平走査
期間Ｈ２において、走査線駆動回路はＨレベルの走査信号ＧＷＲＴ１を走査線を介して１
行目の画素回路５Ｂに供給し、画素回路５ＢのトランジスタＴ２２をオン状態（開状態）
に保つ。このとき、データ線駆動回路の定電圧回路３０２は電源線４１と同レベルの電位
となっている。これによって、１行目の画素回路５ＢのＯＬＥＤ素子Ｄ２１が非発光とな
る。このようにして２行目以降の画素回路５Ｂに対しても上記と同じような発光と非発光
の処理が繰り返し行われることになる。以上の処理によって、１行目からm行目までの全
ての画素回路を１行分ずつ最高輝度で点灯させていくことができ、この処理が全て終わる
と、制御部１の処理は（図４に示したステップＳ１３；Ｙｅｓ）、実使用状態に遷移する
。
【００３４】
以上述べた第２実施形態によれば、点灯制御線を備えていない電気光学装置であっても
、第１実施形態と同様に、画像表示処理の開始時に全ての画素をいったん最高輝度で発光
させるという初期化処理を経た後に実使用状態に遷移させるから、実使用状態においては
消費電力を低減することができるとともに、正確な階調で画像を表現することができる。
また、画素を１行分ずつ発光させた後に直ちに非発光にするので、全ての画素回路のＯＬ
ＥＤ素子を一斉に最高輝度で発光させる場合と比較して、画素回路に供給する電流のピー
ク値を抑えることができる。また、連続する２つの水平走査期間に跨った極めて短い期間
だけ、ＯＬＥＤ素子を最高輝度で発光させるので、ユーザに不快感を与えることもない。
【００３５】
なお、画素回路５Ｂは、図９に示した電圧プログラミング方式のものに限らず、点灯制
御線の無い電流プログラミング方式の画素回路であってもよく、上記と同様に最高輝度に
相当する電流をプログラムした直後に電流値を零にプログラムするとことで画素を1行分
毎に発光させることができる。また、初期化時においては実使用状態時よりも水平走査期
間（１Ｈ）の間隔を短くして、最高輝度での発光期間をできるだけ短くしても良い。
【００３６】
以上の第１実施形態や第２実施形態に係る電気光学装置を電子機器に適用することも可
能である。ここでいう電子機器は、特に限定されるものではないが、本発明に係る電気光
学装置を表示部として含んで構成される装置一般をいう。図１１は、本発明に係る電気光
学装置を有する携帯電話機１２０の構成を示す斜視図である。この図に示されるように、
携帯電話機１２０は、利用者により操作される複数の操作ボタン１２２、他の端末装置か
ら受信した音声を出力する受話口１２４、および他の端末装置に送信される音声を入力す
る送話口１２６のほかに、各種の画像を表示する電気光学装置１００を有する。なお、本
発明に係る液晶装置が利用され得る電子機器としては、図１１に示される携帯電話機のほ
かにも、ノートパソコンや、液晶テレビ、ビューファインダ型（またはモニタ直視型）の
ビデオレコーダ、カーナビゲーション装置、ページャ、電子手帳、電卓、ワードプロセッ
サ、ワークステーション、テレビ電話、ＰＯＳ端末、タッチパネルを備えた機器等などが
挙げられる。
【００３７】
（３）第３実施形態
第３実施形態は、第１〜第２実施形態のように電気光学装置を表示装置に適用したもの
ではなく、照明装置に適用したものである。
ここで、図１２は、第３実施形態に係る照明装置の外観を示す斜視図である。図１２に
示すように照明装置５０は、照明パネル５１と、照明パネル５１を覆うシェード５２と、
装置の本体５３と、本体５３に設けられた操作子５４と、シェード５２を支えて本体５３
に固定するシェードステイ５５と、外部電源（商用電源）から照明装置５０に電源電圧を
供給するためのコンセント５６とを備えている。照明パネル５１はＯＬＥＤ素子を含んで
構成された周知の照明パネルである。この照明パネル５１は、例えば、部分的に窓が形成
されたＩＴＯ等の透明電極層と、絶縁層と、有機ＥＬを含む発光層と、金属電極層とが積
層されて構成されており、透明電極層と金属電極層の間に電圧が印可され、発光層に電流
が供給されることで発光層を発光させる。なお、この透明電極層に形成される窓は円形、
楕円形、三角形、正方形、長方形、多角形のいずれかあるいはそれらの組み合わせて形成
することができ、窓の面積が窓以外の部分の面積より大きい方が明るい照明パネルを構成
することができる。
【００３８】
次に、図１３は、照明装置５０の電気的構成を示すブロック図である。照明装置５０は
、本体５３の内部に収容された制御回路６１と可変電圧電源回路６２とパルス電圧発生器
６３とスイッチ６４との他に、前述した操作子５４とＯＬＥＤ素子６５とを備えている。
可変電圧電源回路６２とパルス電圧発生器６３には外部電源７０から電源電圧が供給され
る。スイッチ６４は制御回路６１からの指示に基づいて、ＯＬＥＤ素子６５をパルス電圧
発生器６３側に接続するか可変電圧電源回路６２側に接続するかを切り替える。可変電圧
電源回路６２は、外部電源７０から供給された電源電圧を制御回路６１から指示された大
きさの電圧に変圧し、スイッチ６４を介して照明パネル５１に印加する。パルス電圧発生
器６３は、外部電源７０から供給された電源電圧に基づいて、比較的急峻なピーク値を持
つパルス電圧をごく短い期間だけ発生させ、そのパルス電圧をスイッチ６４を介して照明
パネル５１に印加する。このパルス電圧は、ＯＬＥＤ素子６５が最高輝度で発光するよう
な電流をこのＯＬＥＤ素子に供給するための電圧である。
【００３９】
図１４は、制御回路６１の動作を示すフローチャートである。
図１４に示すように、利用者が操作子５４を用いて照明装置５０の電源を投入すると、
制御回路６１はこの操作を検知して（ステップＳ２１；Ｙｅｓ）、まず、スイッチ６４を
パルス電圧発生器６３側に切り替える（ステップＳ２２）。そして、制御回路６１はパル
ス電圧発生器６３にパルス電圧を発生させ、このパルス電圧に対応した電流をＯＬＥＤ素
子６５に供給し、最高輝度で発光させる（ステップＳ２３）。この処理が終了すると（ス
テップＳ２４；Ｙｅｓ）、制御回路６１はスイッチ６４を可変電圧電源回路６２側に切り
替え（ステップＳ２５）、以降、利用者が操作子５４によって指定した明るさ（発光量）
でＯＬＥＤ素子が発光するような値の電圧を可変電圧電源回路６２に発生させる（ステッ
プＳ２６）。そして、利用者が操作子５４を用いて電源を切る操作を行うと、制御回路６
１はこの操作を検知して（ステップＳ２７；Ｙｅｓ）、スイッチ６４をパルス電圧発生器
６３側にも可変電圧電源回路６２側にも接続しない状態にして処理を終了する。
この第３実施形態によれば、実使用状態において、全てのＯＬＥＤ素子は特性曲線Ｃ２
という本来の電圧−電流特性に沿って駆動することになるので、効率のよい照明が可能と
なる。
【図面の簡単な説明】
【００４０】
【図１】本発明の原理を示すフローチャートである。
【図２】本発明の第１実施形態に係る電気光学装置の構成を示す図である。
【図３】同実施形態に係る画素回路を示す回路図である。
【図４】同実施形態における動作を示すフローチャートである。
【図５】同実施形態における初期化時のタイミングチャートである。
【図６】同実施形態における実使用状態時のタイミングチャートである。
【図７】同実施形態の変形例に係る画素回路を示す回路図である。
【図８ａ】同実施形態の変形例におけるロゴの表示例を示す平面図である。
【図８ｂ】同実施形態の変形例におけるロゴの表示例を示す平面図である。
【図８ｃ】同実施形態の変形例におけるロゴの表示例を示す平面図である。
【図９】第２実施形態に係る画素回路を示す回路図である。
【図１０】同実施形態における初期化時のタイミングチャートである。
【図１１】本発明に係る電子機器である携帯電話機の外観を示す斜視図である。
【図１２】本発明の第３実施形態に係る照明装置の外観を示す斜視図である。
【図１３】同実施形態の照明装置の電気的構成を示すブロック図である。
【図１４】同実施形態における動作を示すフローチャートである。
【図１５】ＯＬＥＤ素子の電圧−電流特性を示す図である。
【符号の説明】
【００４１】
１００……電気光学装置、１……制御部、２……走査線駆動回路、２０１……走査線、２
０３……点灯制御線、３……データ線駆動回路、３０１……定電流回路、３０３……デー
タ線、５，５Ａ，５Ｂ……画素回路、Ｄ１，Ｄ１１，Ｄ２１……ＯＬＥＤ素子、５０……
照明装置、６１……制御回路、６２……可変電圧電源回路、６３……パルス電圧発生器、
６４……スイッチ。
【図１】
2005195875.tif 000003
【図２】
2005195875.tif 000004
【図３】
2005195875.tif 000005
【図４】
2005195875.tif 000006
【図５】
2005195875.tif 000007
【図６】
2005195875.tif 000008
【図７】
2005195875.tif 000009
【図８ａ】
2005195875.tif 000010
【図８ｂ】
2005195875.tif 000011
【図８ｃ】
2005195875.tif 000012
【図９】
2005195875.tif 000013
【図１０】
2005195875.tif 000014
【図１１】
2005195875.tif 000015
【図１２】
2005195875.tif 000016
【図１３】
2005195875.tif 000017
【図１４】
2005195875.tif 000018
【図１５】
2005195875.tif 000019